(57)【要約】【課題】簡易な構成で立体感を知覚させることが可能な画像表示装置、画像表示方法及びプログラムを提供する。【解決手段】表示の対象となる対象物について、互いに異なる撮影角度から撮影された複数の画像のうち、一の撮影角度から撮影された画像を表示手段に表示する表示制御手段と、画像表示装置の傾きを検出する検出手段と、前記検出手段により検出された傾きから、前記画像表示装置を操作するユーザの視点方向を決定し、前記複数の画像から当該視点方向に対応する撮影角度から撮影された画像を特定する特定手段と、前記検出手段により検出された傾きに応じて、前記特定手段で特定された画像のサイズを調整する調整手段と、を備え、前記表示制御手段は、前記調整手段により処理が施された画像を前記表示手段に表示する。【選択図】        図１１
2010072477.tif 000002
【特許請求の範囲】
【請求項１】
表示手段を備えた画像表示装置であって、
表示の対象となる対象物について、互いに異なる複数の撮影角度から撮影された複数の画像のうち、一の撮影角度から撮影された画像を前記表示手段に表示する表示制御手段と、
前記画像表示装置の傾きを検出する検出手段と、
前記検出手段により検出された傾きから、前記画像表示装置を操作するユーザの視点方向を決定し、前記複数の画像から当該視点方向に対応する撮影角度から撮影された画像を特定する特定手段と、
前記検出手段により検出された傾きに応じて、前記特定手段で特定された画像のサイズを調整する調整手段と、
を備え、
前記表示制御手段は、前記調整手段により処理が施された画像を前記表示手段に表示することを特徴とする画像表示装置。
【請求項２】
前記調整手段は、前記表示手段における表示面の前記視点方向への写像が、当該表示面の正面方向への写像と同サイズ又は同形状となるよう、前記特定手段で特定された画像のサイズを調整することを特徴とする請求項１に記載の画像表示装置。
【請求項３】
前記複数の画像は、前記対象物を中心とした円周又は球上の各位置で撮影されたことを特徴とする請求項１又は２に記載の画像表示装置。
【請求項４】
表示の対象となる対象物の選択を受け付ける選択受付手段を更に備え、
前記表示制御手段は、前記選択受付手段で選択を受け付けた対象物についての画像を、前記表示手段に表示することを特徴とする請求項１〜３の何れか一項に記載の画像表示装置。
【請求項５】
表示手段を備えた画像表示装置で実行される画像表示方法であって、
表示制御手段が、表示の対象となる対象物について、互いに異なる複数の撮影角度から撮影された複数の画像のうち、一の撮影角度から撮影された画像を前記表示手段に表示する表示制御工程と、
検出手段が、前記画像表示装置の傾きを検出する検出工程と、
特定手段が、前記検出工程で検出された傾きから、前記画像表示装置を操作するユーザの視点方向を決定し、前記複数の画像から当該視点方向に対応する撮影角度から撮影された画像を特定する特定工程と、
調整手段が、前記検出工程で検出された傾きに応じて、前記特定工程で特定された画像のサイズを調整する調整工程と、
を含み、
前記表示制御工程では、前記調整工程で処理が施された画像を前記表示手段に表示することを特徴とする画像表示方法。
【請求項６】
表示手段を備えた画像表示装置のコンピュータを、
表示の対象となる対象物について、互いに異なる複数の撮影角度から撮影された複数の画像のうち、一の撮影角度から撮影された画像を前記表示手段に表示する表示制御手段と、
前記画像表示装置の傾きを検出する検出手段と、
前記検出手段により検出された傾きから、前記画像表示装置を操作するユーザの視点方向を決定し、前記複数の画像から当該視点方向に対応する撮影角度から撮影された画像を特定する特定手段と、
前記検出手段により検出された傾きに応じて、前記特定手段で特定された画像のサイズを調整する調整手段と、
して機能させ、
前記表示制御手段は、前記調整手段により処理が施された画像を前記表示手段に表示することを特徴とするプログラム。
【発明の詳細な説明】
【技術分野】
【０００１】
本発明は、画像表示装置、画像表示方法及びプログラムに関する。
【背景技術】
【０００２】
コンピュータの普及に伴い、立体物を表した三次元モデルが利用される機会も増えて来ている。例えば、特許文献１には、立体映像に基づく奥行き分布に応じた様々な仮想環境に三次元モデルを配置する際に、配置する仮想環境に応じ自動的に三次元モデルを変更して仮想空間に配置する技術が開示されている。
【０００３】
また、上述したような三次元モデルの効果的な表示方法として、三次元モデルを立体画像として観察者に知覚させるための技術が種々提案されている。例えば、偏光眼鏡を用いたものや、レンチキュラーレンズやパララクスバリア等の光線制御素子を用いた方法が存在している。また、光線制御素子を用いる方式にも、２眼式や多眼式、インテグラルフォトグラフィー方式等、様々な表示方法が存在している。
【０００４】
【特許文献１】特開２００３−３２３６３６号公報
【発明の開示】
【発明が解決しようとする課題】
【０００５】
しかしながら、従来の表示方法では、偏光眼鏡等の専用のメガネを用いたり、光線制御素子等の特殊な装置や複雑な画像処理を必要としたりするため、装置の増大化やコストが嵩むという問題がある。そのため、簡易な構成で立体感を知覚することが可能な表示技術が求められている。
【０００６】
本発明は上記に鑑みてなされたものであって、簡易な構成で立体感を知覚させることが可能な画像表示装置、画像表示方法及びプログラムを提供することを目的とする。
【課題を解決するための手段】
【０００７】
上述した課題を解決し、目的を達成するために、本発明は、表示手段を備えた画像表示装置であって、表示の対象となる対象物について、互いに異なる複数の撮影角度から撮影された複数の画像のうち、一の撮影角度から撮影された画像を前記表示手段に表示する表示制御手段と、前記画像表示装置の傾きを検出する検出手段と、前記検出手段により検出された傾きから、前記画像表示装置を操作するユーザの視点方向を決定し、前記複数の画像から当該視点方向に対応する撮影角度から撮影された画像を特定する特定手段と、前記検出手段により検出された傾きに応じて、前記特定手段で特定された画像のサイズを調整する調整手段と、を備え、前記表示制御手段は、前記調整手段により処理が施された画像を前記表示手段に表示することを特徴とする。
【０００８】
また、本発明は、表示手段を備えた画像表示装置で実行される画像表示方法であって、表示制御手段が、表示の対象となる対象物について、互いに異なる複数の撮影角度から撮影された複数の画像のうち、一の撮影角度から撮影された画像を前記表示手段に表示する表示制御工程と、検出手段が、前記画像表示装置の傾きを検出する検出工程と、特定手段が、前記検出工程で検出された傾きから、前記画像表示装置を操作するユーザの視点方向を決定し、前記複数の画像から当該視点方向に対応する撮影角度から撮影された画像を特定する特定工程と、調整手段が、前記検出工程で検出された傾きに応じて、前記特定工程で特定された画像のサイズを調整する調整工程と、を含み、前記表示制御工程では、前記調整工程で処理が施された画像を前記表示手段に表示することを特徴とする。
【０００９】
また、本発明は、表示手段を備えた画像表示装置のコンピュータを、表示の対象となる対象物について、互いに異なる複数の撮影角度から撮影された複数の画像のうち、一の撮影角度から撮影された画像を前記表示手段に表示する表示制御手段と、前記画像表示装置の傾きを検出する検出手段と、前記検出手段により検出された傾きから、前記画像表示装置を操作するユーザの視点方向を決定し、前記複数の画像から当該視点方向に対応する撮影角度から撮影された画像を特定する特定手段と、前記検出手段により検出された傾きに応じて、前記特定手段で特定された画像のサイズを調整する調整手段と、して機能させ、前記表示制御手段は、前記調整手段により処理が施された画像を前記表示手段に表示することを特徴とする。
【発明の効果】
【００１０】
本発明によれば、画像表示装置の傾きに基づいてユーザの視点方向を決定し、この視点方向に応じた撮影角度の画像を表示手段に表示することで、運動視差の作用により立体画像として知覚させることが可能であるため、簡易な構成でユーザに立体感を知覚させることができる。また、画像表示装置の傾きに応じて、画像のサイズを調整することで、表示手段に画像を表示させた際の対象物の見え方を、撮影時と略同等の状態とすることができるため、対象物の実物感をより向上させることができる。
【発明を実施するための最良の形態】
【００１１】
以下に添付図面を参照して、本発明にかかる画像表示装置、画像表示方法及びプログラムの最良な実施形態を詳細に説明する。なお、本発明は以下の実施形態に限定されないものとする。
【００１２】
図１は、本実施形態に係る画像表示装置１００の外観構成の一例を模式的に示した図である。画像表示装置１００は、携帯電話や携帯型ゲーム機、デジタルカメラ、商品等に関する情報の提示を行う商品提示装置等であって、携帯可能な小型の装置として構成される。
【００１３】
画像表示装置１００は、図１に示したように、液晶パネル等の表示デバイスからなる表示部１６と、ボタン等の入力デバイスからなる操作部１７とを有し、操作部１７を介したユーザからの操作に応じて、表示部１６に画像データ等を表示する。また、図１において、画像表示装置１００は、後述する傾きセンサ１４（図示せず）を内蔵し、図中Ｘ軸、Ｙ軸及びＺ軸で示した３軸周りの傾きを検出することが可能となっている。
【００１４】
図２は、図１に示した画像表示装置１００のハードウェア構成の一例を示したブロック図である。同図に示したように、画像表示装置１００は、プロセッサ１１と、ＲＯＭ１２と、ＲＡＭ１３と、傾きセンサ１４と、記憶部１５と、表示部１６と、操作部１７とを備え、各部はバス１８により接続されている。
【００１５】
プロセッサ１１は、ＣＰＵ（Central  Processing  Unit）やＧＰＵ（Graphics  Processing  Unit）等の演算装置から構成され、ＲＯＭ１２や記憶部１５に記憶された所定のプログラムを実行することにより、画像表示装置１００の各部を統括的に制御する。
【００１６】
また、プロセッサ１１は、ＲＯＭ１２や記憶部１５に予め記憶された所定のプログラムとの協働により、後述する選択受付部１１１、表示制御部１１２、視点画像特定部１１３及び画像調整部１１４の各機能部を実現する。
【００１７】
ＲＯＭ１２は、画像表示装置１００のＢＩＯＳ等を記憶した読み出し専用の記憶デバイスである。ＲＡＭ１３は、バッファとして機能し、各種のデータを書き換え可能に一時記憶する揮発性の記憶デバイスである。
【００１８】
傾きセンサ１４は、加速度センサ等から構成され、画像表示装置１００の傾きを検出し、この検出結果として画像表示装置１００の各軸方向の傾きを表す傾斜角度をプロセッサ１１に出力する。ここで、「画像表示装置１００の傾き」とは、表示部１６の中心を通る３軸（Ｘ軸、Ｙ軸、Ｚ軸）を基準とし、これら３軸のうち何れかの軸周りに表示部１６が回転した際の角度を意味する。なお、本実施形態では、３軸全てについての傾きを検出可能とするが、この３軸のうち何れか２軸についてのみ傾きを検出することが可能な構成としてもよいし、何れか１軸についてのみ傾きを検出することが可能な構成としてもよい。
【００１９】
記憶部１５は、ＨＤＤや半導体記憶装置等の不揮発性の記憶デバイスから構成され、後述する画像表示処理を実現するためのプログラムや各種の設定情報を記憶する、また、記憶部１５は、表示の対象となる対象物についての多視点画像を記憶する。ここで、「多視点画像」とは、表示の対象となる対象物を互いに異なる複数の視点位置から撮影することで得られた、各視点位置についての画像（視点画像）群を意味する。以下、図３、図４を参照して、多視点画像の取得方法について説明する。
【００２０】
図３は、表示の対象となる対象物Ｏを、図中Ｘ−Ｚ平面方向から撮影する際の撮影方法を示した図である。なお、対象物Ｏの種別、形状等は特に問わないものとするが、例えば、特定の商品を対象物Ｏとすることとしてもよい。
【００２１】
まず、対象物Ｏを中心とした円周（以下、撮影軌跡Ｔという）を規定し、この撮影軌跡Ｔのうち基準となる基準位置からカメラＣにより対象物Ｏを撮影する。ここで、撮影軌跡Ｔ上の各位置から撮影することで得られる画像を視点画像という。なお、基準位置は特に問わないものとするが、対象物Ｏの正面方向であることが好ましい。
【００２２】
基準位置からの撮影後、この基準位置から所定間隔離れた撮影軌跡Ｔ上の位置にカメラＣを移動し、この位置から対象物Ｏを撮影する。このとき、カメラＣの移動先となる撮影軌跡Ｔ上の位置は、後述するように画像表示装置１００におけるユーザの視点に対応するため、互いに異なる複数の位置から対象物Ｏを撮影することが好ましい。例えば、図３に示したように、基準位置（０度の位置）から撮影した後、この基準位置から撮影軌跡Ｔの弧の角度が３０度、６０度、−３０度、−６０度の各位置に順次移動し、これら各位置で撮影を行うと、計５視点分の視点画像が得られることになる。以下、被写体となる対象物を中心とした、基準位置と撮影位置とのなす角、即ち、撮影軌跡Ｔ上での基準位置と撮影位置との間の弧の角度を撮影角度という。
【００２３】
そして、上記の手順で撮影した各視点画像を、撮影時における基準位置からの撮影角度と関連付け、対象物Ｏについての多視点画像として記憶部１５に記憶する。
【００２４】
図４は、図３に示した撮影条件で生成した対象物Ｏについての多視点画像の一例を示した図である。図４に示したように、各撮影位置から撮影された対象物Ｏの視点画像が、基準位置からの撮影角度と関連付けて記憶されている。ここで、撮影角度の間隔や、視点位置の個数は特に問わないものとするが、撮影角度の順に視点画像を連続的に表示した際に、運動視差が生じる程度の間隔や個数とすることが好ましい。
【００２５】
なお、図３、図４では、Ｘ−Ｚ平面での撮影方法について説明したが、他の平面方向（Ｘ−Ｙ平面、Ｙ−Ｚ平面）についても同様に撮影が行われるものとする。すなわち、３軸方向で対象物Ｏを撮影する際には、対象物Ｏを中心とする球上の撮影軌跡Ｔに沿って撮影が行われるものとする。この場合、各撮影位置での視点画像と、３軸方向についての基準位置から撮影位置までの撮影角度を関連付けて記憶する。
【００２６】
また、対象物ＯとカメラＣとの間の距離は、特に問わないものとするが、一定の値に保たれることが好ましい。対象物ＯとカメラＣとの間の距離を維持したまま撮影する方法としては、例えば、以下のような撮影方法が挙げられる。
【００２７】
まず、撮影軌跡Ｔをレール等の軌道で構成し、この軌道上にカメラＣを移動可能に設置する。そして、カメラＣを一定の速度で移動させながら対象物Ｏを連続的に撮影することで、対象物ＯとカメラＣとの間の距離を維持しつつ、各撮影位置での視点画像と撮影角度とを取得することができる。このとき、カメラＣの移動速度は、カメラＣが取り込む光量やブレの影響を考慮した速度であることが好ましい。
【００２８】
また、傾きセンサ１４と同様のセンサをカメラＣに組み込むことで、軌道を設けずに視点画像と撮影角度とを取得することが可能である。この場合、対象物ＯとカメラＣとの間の距離を維持するため、対象物Ｏとの距離を測定する測距センサ等をカメラＣに設けるとともに、撮影方向を維持するため、レーザポインタ等を対象物Ｏに向けながら撮影することが好ましい。なお、撮影時に撮影軌跡Ｔからずれが発生すると、対象物Ｏの見え方やサイズは撮影軌跡Ｔで撮影されたものと異なるものになるが、対象物Ｏのシルエット等の特徴点に基づいて、規定の見え方やサイズに補正することが可能である。
【００２９】
なお、上記した多視点画像の取得方法では、実写による静止画像の取得を前提としたが、これに限らず、動画像の形態で取得することとしてもよい。この場合、動画像を構成する各フレームと、そのフレームが撮影された撮影位置（撮影角度）とを関連付けて記憶を行うものとする。
【００３０】
また、ＣＧ技術を用いて多視点画像を取得する場合であっても、上記した多視点画像の取得方法と原理は同様である。具体的には、対象物Ｏとなる三次元モデルのレンダリング視点を、当該三次元モデルを中心とする円（又は球）上で移動させながら、三次元モデルのレンダリングを各視点位置で行うことで、撮影角度と視差画像との組を取得することができる。なお、ＣＧ技術を用いる場合、多視点画像は予め取得されている形態としてもよいし、傾斜角度が検出される毎にリアルタイムに取得する形態としてもよい。
【００３１】
図２に戻り、表示部１６は、ＬＣＤ（Liquid  Crystal  Display）やＣＲＴ（Cathode  Ray  Tube）等の表示デバイスから構成され、プロセッサ１１からの表示信号に基づいて、上記した多視差画像等の各種情報を表示する。
【００３２】
操作部１７は、キーボード等の操作ボタンやポインティングデバイスを備えた入力デバイスであって、ユーザの操作内容を入力信号として受け付け、プロセッサ１１に出力する。なお、操作部１７は、表示部１６と一体的にタッチパネルを構成する態様としてもよい。
【００３３】
図５は、多視点画像の表示に係る機能的構成を示したブロック図である。図５に示したように、プロセッサ１１は、記憶部１５に記憶された所定のプログラムとの協働により、選択受付部１１１、表示制御部１１２、視点画像特定部１１３及び画像調整部１１４を機能部として実現する。
【００３４】
選択受付部１１１は、操作部１７を介して入力されるユーザからの指示入力を受け付ける機能部である。具体的に、選択受付部１１１は、記憶部１５に記憶された各対象物についての多視点画像のうち、操作部１７を介して特定の対象物についての多視点画像が選択されると、この選択された多視点画像を表示対象に設定する。
【００３５】
表示制御部１１２は、表示部１６への表示を制御する機能部であって、選択受付部１１１で表示対象とされた多視点画像に含まれる視点画像を表示部１６に表示する。また、表示制御部１１２は、画像調整部１１４によりサイズが調整された視点画像を表示部１６に表示する。
【００３６】
視点画像特定部１１３は、傾きセンサ１４から入力される検出角度に基づいて、画像表示装置１００を観察するユーザの視線方向を決定し、この視線方向に対応する視点画像を表示対象とされた多視点画像の中から特定する。以下、図６、図７を参照して、視点画像特定部１１３の動作について説明する。
【００３７】
図６は、視点画像特定部１１３の動作を説明するための図である。なお、図６において、画像表示装置１００はユーザの視点位置Ｖに対して正面に配置されているものとし、表示対象の多視点画像に含まれる基準位置（撮影角度０）での視点画像が表示されているものとする。ここで、表示対象の多視点画像が、図３で説明した対象物Ｏについての多視点画像であるものとする。
【００３８】
基準位置での視点画像が表示された後、図６の破線で示したように、ユーザにより画像表示装置１００がＸ−Ｚ平面、即ち、Ｙ軸周りに所定の角度θだけ右回転されると、傾きセンサ１４は、このＹ軸周りの傾斜角度θを検出することになる。なお、ここでは、傾きセンサ１４の特性として、Ｙ軸周りの右回転への傾斜が正の角度で検出されるものとし、左回転への傾斜が負の角度で検出されるものとしている。
【００３９】
視点画像特定部１１３は、傾きセンサ１４から傾斜角度θを受け付けると、この傾斜角度θをユーザの画像表示装置１００に対する視線方向として決定する。ここで、視線方向とは、画像表示装置１００の正面位置に対する、ユーザの視点位置の相対的なずれの角度を意味する。例えば、図６の破線で示した画像表示装置１００の傾きは、図７に示したように、画像表示装置１００の正面に位置するユーザの視点位置Ｖが、画像表示装置１００を中心に角度θだけずれた視点位置Ｖ’に移動したことに相当する。そのため、視点画像特定部１１３は、この傾斜角度θを画像表示装置１００に対するユーザの視線方向として決定する。なお、傾きセンサ１４の傾斜の検出特性が本構成と逆となる場合には、視点画像特定部１１３が検出した傾斜角度θを負号とした、−θをユーザの視線方向として決定するものとする。
【００４０】
また、視点画像特定部１１３は、視線方向を決定すると、表示対象となる対象物Ｏについての多視点画像から、当該視線方向に対応する視点画像を特定する。ここで、視線方向は、図３におけるカメラＣの撮影方向に相当する。そのため、視点画像特定部１１３は、視線方向θと同一の撮影角度に関連付けて記憶された視点画像を特定する。例えば、視線方向θ＝３０度であったとすると、図４に示した対象物Ｏについての多視点画像から、撮影角度３０度に関連付けて記憶された視点画像を特定する。
【００４１】
なお、視線方向θと一致する撮影角度が存在しない場合には、視点画像特定部１１３は、この視線方向θに最も近い撮影角度を一つ選択し、当該撮影角度に関連付けられた画像データを特定するものとする。
【００４２】
図５に戻り、画像調整部１１４は、視点画像特定部１１３で特定された視点画像を記憶部１５から読み出し、この視点画像を表示部１６に表示させた際の当該視点画像に含まれる対象物の見え方を、本来の対象物の状態に近付けるための画像処理を施す。以下、図８〜図１０を参照して、画像調整部１１４の動作について説明する。
【００４３】
図８は、表示部１６に表示された視点画像の一例を示した図であり、画像表示装置１００の正面位置から見た球状の対象物Ｏ’の状態（基準位置）を表している。ここで、例えば、画像表示装置１００が、Ｙ軸周りに所定の角度θだけ右回転されると、上述した視点画像特定部１１３の制御により、この傾斜角度に対応する視点画像が特定されることになる。
【００４４】
このとき、視点画像特定部１１３により特定された視点画像データを表示部１６に直接表示すると、表示部１６の表示面がユーザに対して斜めに対向配置されているため、本来球状の対象物Ｏ’が、図９に示したように歪んだ像としてユーザの網膜上に映ることになる。
【００４５】
ここで、図９は、視点画像の見え方を説明するための図である。図９に示したように、表示部１６がユーザに対して斜めに対向配置された場合、ユーザの網膜上には本来球状の対象物Ｏ’が、横方向（Ｘ軸方向）に縮退し、且つ、縦方向（Ｙ軸方向）に間延びした状態で映ることになる。
【００４６】
そこで、画像調整部１１４では、傾きセンサ１４で検出された傾斜角度により定まる表示部１６の表示面の視点方向への写像が、当該表示面の正面方向（Ｚ軸方向）への写像と同サイズ又は同形状となるよう、視点画像特定部１１３で特定された視点画像のサイズを調整することで、ユーザの網膜上に映る対象物Ｏ’の像が撮影時の状態と同様となるよう見え方を調整する。
【００４７】
具体的に、画像調整部１１４は、傾きセンサ１４により検出されたＹ軸周りの傾斜角度がθのとき、視点画像の横方向（図中Ｘ軸方向）のサイズを、(cosθ)-1倍で表示するようサイズを変換する。また、視点画像の縦方向（図中Ｙ軸方向）に対しては、その変化率は小さいため無視することも考えられるが、以下のサイズ変換を行うことで、対象物Ｏ’の見え方を撮影時の形状により近付けることができる。
【００４８】
表示部１６の縦のサイズが２ｙ、横のサイズが２ｘ、想定されるユーザの視点位置と表示部１６との間の視距離がＬのとき、表示部１６の左右端のうち手前側に位置する端部（図９中、右端部）に表示された視点画像データの縦サイズに対しては、下記式（１）で表される倍率で表示するようサイズを変換する。
tan-1(y/L)/tan-1{y/(L-xsinθ)}      （１）
【００４９】
また、表示部１６の左右端のうち奥行き側の端部（図９中、左端部）に表示された視点画像データの縦サイズに対しては、下記式（２）で表される倍率で表示するようサイズを変換する。
tan-1(y/L)/tan-1{y/(L+xsinθ)}      （２）
【００５０】
なお、表示部１６の左右端間に表示された視点画像データの縦サイズについても、左右端からの距離に応じた比率でサイズを調整するものとする。
【００５１】
図１０は、図９に対応する図であって、画像調整部１１４によりサイズの調整が施された視点画像の、表示部１６での表示状態を示した図である。図１０に示したように、図９と同様、表示部１６の表示面はユーザに対して斜めに対向配置されているが、表示部１６に表示される視点画像の対象物Ｏ’の形状は、図８と同様、本来の姿である球状を保っている。
【００５２】
このように、画像調整部１１４では、傾きセンサ１４で検出された傾斜角度に応じて、視点画像のサイズを調整することで、この視点画像を表示部１６に表示させた際の対象物の見え方を、本来の対象物の状態に近付ける。これにより、ユーザは視点画像に含まれた対象物を、この対象物の撮影時と略同等の状態で観察することが可能となる。
【００５３】
なお、上記では、Ｙ軸周りの回転についてサイズ調整の方法を説明したが、他の軸周りの回転についても同様にサイズ調整を行うものとする。
【００５４】
図１１は、多視点画像の表示に係る画像表示処理の手順を示したフローチャートである。まず、選択受付部１１１は、操作部１７を介して特定の対象物についての多視点画像が選択されると、この多視点画像を表示対象に設定する（ステップＳ１１）。
【００５５】
続いて、表示制御部１１２は、選択受付部１１１で表示対象に設定された多視点画像に含まれる視点画像のうち、基準位置（撮影角度０度）に関連付けられた視点画像を表示部１６に表示する（ステップＳ１２）。なお、本実施形態では、選択操作の受け付け後最初に表示される視差画像を基準位置のものとしているが、これに限らないものとする。
【００５６】
次いで、視点画像特定部１１３は、傾きセンサ１４から入力される画像表示装置１００の傾斜角度に基づいて、ユーザの視線方向を決定し、この視線方向に対応する視点画像を表示対象に設定された多視点画像の中から特定する（ステップＳ１３）。
【００５７】
画像調整部１１４は、ステップＳ１３で特定された視点画像を記憶部１５から読み出すと、この視点画像に含まれる対象物の見え方を本来の形状に近付けるため、傾きセンサ１４から入力された傾斜角度に応じて、視点画像の画像サイズを調整する（ステップＳ１４）。そして、表示制御部１１２は、画像調整部１１４によるサイズ調整処理が施された視点画像を表示部１６に表示する（ステップＳ１５）。
【００５８】
次いで、選択受付部１１１は、操作部１７を介して多視点画像の表示を終了する旨の指示が入力されたか否かを判定し、入力されていないと判定した場合には（ステップＳ１６；Ｎｏ）、ステップＳ１３の処理に再び戻る。また、表示の終了が指示されたと判定した場合には（ステップＳ１６；Ｙｅｓ）、本処理を終了する。
【００５９】
上記の画像表示処理時において、ユーザにより画像表示装置１００が連続的に傾斜されると、上述したステップＳ１３〜Ｓ１６のループ処理により、各傾斜角度に応じた視差画像が連続的に表示されることになる。このとき、ユーザは運動視差（motion  parallax）の作用により、表示部１６に表示された対象物に奥行きを感じるため、この対象物を立体画像として立体的に知覚することができる。
【００６０】
また、対象物を立体的に表示できるということは、一面的に表示された画像に比べ、その対象物についてより多くの情報をユーザに提示することが可能である。例えば、飲食店においてメニューを紹介する際に画像表示装置１００を用いることで、適切に情報を伝えられる以外に、より実物感を知覚できることから食欲を誘う効果も期待できる。
【００６１】
また、デジタルカメラや携帯電話等の撮影機能を備えた装置に本実施形態の技術を適用することで、立体感のある立体画像（視差画像）を表示することができるとともに、この立体画像の元となる多視点画像を上述した取得方法等で撮影することも可能である。そのため、多視点画像の取得と表示とを手軽に行うことができるため、従来の写真や動画といった情報に付加価値を与えることができる。
【００６２】
以上のように、本実施形態によれば、画像表示装置１００の傾きに基づいてユーザの視点方向を決定し、この視点方向に応じた撮影角度の視点画像を表示部１６に表示することで、運動視差の作用により立体画像として知覚させることが可能であるため、簡易な構成でユーザに立体感を知覚させることができる。また、特殊な装置を用いないため、既存の技術の流用が比較的容易であり、開発及び製造にかかるコストを抑えることができる。また、画像表示装置１００のユーザに対しても専用メガネを着用する等の作業を省かせることができるため、ユーザの利便性を図ることができる。
【００６３】
また、画像表示装置１００の傾きに応じて、表示の対象となる視点画像のサイズを調整することで、表示部１６に視点画像を表示させた際の対象物の見え方を、撮影時と略同等の状態とすることができるため、対象物の実物感を向上させることができる。
【００６４】
以上、本発明の実施の形態について説明したが、本発明はこれに限定されるものではなく、本発明の主旨を逸脱しない範囲での種々の変更、置換、追加等が可能である。
【００６５】
なお、上記実施形態に係るプログラムは、ＲＯＭ１２や記憶部１５に予め組み込まれて提供されるものとするが、これに限らず、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録して提供するように構成してもよい。さらに、記録媒体は、コンピュータ或いは組み込みシステムと独立した媒体に限らず、ＬＡＮやインターネット等により伝達されたプログラムをダウンロードして記憶又は一時記憶した記録媒体も含まれる。
【００６６】
また、上記実施形態に係るプログラムをインターネット等のネットワークに接続されたコンピュータ上に格納し、ネットワーク経由でダウンロードさせることにより提供するように構成してもよく、インターネット等のネットワーク経由で提供又は配布するように構成してもよい。
【図面の簡単な説明】
【００６７】
【図１】画像表示装置の外観構成の一例を示した図である。
【図２】図１に示した画像表示装置のハードウェア構成の一例を示したブロック図である。
【図３】多視点画像の取得方法を説明するための図である。
【図４】多視点画像の取得方法を説明するための図である。
【図５】多視点画像の表示に係る機能的構成を示したブロック図である。
【図６】図５に示した視点画像特定部の動作を説明するための図である。
【図７】図５に示した視点画像特定部の動作を説明するための図である。
【図８】表示部に表示された視点画像の一例を示した図である。
【図９】視点画像の見え方を説明するための図である。
【図１０】サイズ調整が行われた後での、視点画像データの見え方を説明するための図である。
【図１１】画像表示処理の手順を示したフローチャートである。
【符号の説明】
【００６８】
１００  画像表示装置
１１  プロセッサ
１２  ＲＯＭ
１３  ＲＡＭ
１４  傾きセンサ
１５  記憶部
１６  表示部
１７  操作部
１８  バス
１１１  選択受付部
１１２  表示制御部
１１３  視点画像特定部
１１４  画像調整部
【図１】
2010072477.tif 000003
【図２】
2010072477.tif 000004
【図３】
2010072477.tif 000005
【図４】
2010072477.tif 000006
【図５】
2010072477.tif 000007
【図６】
2010072477.tif 000008
【図７】
2010072477.tif 000009
【図８】
2010072477.tif 000010
【図９】
2010072477.tif 000011
【図１０】
2010072477.tif 000012
【図１１】
2010072477.tif 000013